【事件の表示】
　特許第３２８５７９９号「目のメークアップ用組成物」の請求項１〜１３に係る特許に対する特許異議の申立てについて、次のとおり決定する。
【結　論】
　訂正を認める。
　特許第３２８５７９９号の請求項１〜１３に係る特許を維持する。
【理　由】
１．手続きの経緯　
　本件特許第３２８５７９９号に係る発明は、平成９年９月２９日に特許出願され、平成１４年３月８日に特許権の設定の登録がされた後、特許異議の申立てがされ、当審による取消理由通知の意見書提出の指定期間内である平成１５年９月２４日に、明細書の訂正請求がされた。
　　
２．訂正請求について
（１）訂正の内容
　
訂正事項（ａ）：
　特許請求の範囲の請求項１の、
「【請求項１】　（ａ）少なくとも１つの皮膜形成ポリマーを含有する少なくとも１つの水性相、
（ｂ）４０〜１１０℃の融点を有する少なくとも１つのロウを含有する少なくとも１つの脂肪相、
（ｃ）（ｉ）　オキシアルキレン化されたシリコーン、
　　（ｉｉ）直鎖状のポリシロキサン−ポリオキシアルキレンブロックコポリマー：
から選択される少なくとも１つのシリコーン剤、
を有することを特徴とする化粧品組成物。」を、
「【請求項１】　（ａ）−　ケラチン誘導体、
−　アニオン性、カチオン性、両性、または非イオン性のキチンまたはキトサン誘導体、
−　セルロース誘導体、
−　アクリル酸ポリマーまたはコポリマー、
−　ポリビニルピロリドン、
−　ビニルコポリマー、
−　アニオン性ポリエステル及び／又はポリエステルアミドのポリマーであって、−ＳＯ3Ｍ官能基（式中、Ｍは水素原子、アンモニウムイオン、または金属イオンを表す）を有するモノマーを含有するもの、
−アラビアゴム、グアガム、キサンタン誘導体、カラヤゴム、アルギナート、カラゲーナート、セラック樹脂、サンダラック、ダマール樹脂、エレミガム及びコーパル樹脂から選択される、変性されていてもよい天然由来のポリマー
から選択される少なくとも１つの皮膜形成ポリマーを含有する少なくとも１つの水性相、
（ｂ）４０〜１１０℃の融点を有する少なくとも１つのロウを含有する少なくとも１つの脂肪相、
（ｃ）（ｉ）次の一般式（Ｉ）：
［上式（Ｉ）中、
−Ｒ1は、同一でも異なっていてもよく、水素原子、メチル基、またはフェニル基を表し、
−Ｒ2は、同一でも異なっていてもよく、
　　　−（ＣXＨ2X）−（ＯＣ2Ｈ4）a−（ＯＣ3Ｈ6）b−ＯＲ3を表し、
−Ｒ3は、同一でも異なっていてもよく、水素原子、１〜１２の炭素原子を有する直鎖状または分枝状のアルキル基、または２〜１２の炭素原子を有する直鎖状または分枝状のアシル基から選択され、
−ｎは、０〜１０００の範囲内にあり、
−ｐは、１〜３０の範囲内にあり、
−ａは、０〜５０の範囲内にあり、
−ｂは、０〜５０の範囲内にあり、
−ａ＋ｂは、１以上であり、
−ｘは、１〜５の範囲内にあり、
−数平均分子量が、１５０００以上である］で表される化合物から選択されるオキシアルキレン化されたシリコーン、
（ｉｉ）直鎖状のポリシロキサン−ポリオキシアルキレンブロックコポリマー：
から選択される少なくとも１つのシリコーン剤、
を有することを特徴とする化粧品組成物。」に訂正する。
　
 訂正事項（ｂ）：
　特許請求の範囲の請求項３及び１４を削除するとともに、順次それ以降の特許請求の範囲の各請求項の項数及び各請求項中の引用請求項の項数を繰り上げる。
　
（２）訂正の適否について
ａ．訂正事項（ａ）は、特許請求の範囲の請求項１に記載されていた化粧品組成物の成分である「皮膜形成ポリマー」を、特許明細書【００４０】段落に記載されていた具体的なポリマーのうちの一部に限定するものであるから、特許請求の範囲の減縮を目的とする訂正である。
　
ｂ．訂正事項（ｂ）は、特許請求の範囲の請求項１を訂正したことに伴って、これと整合をとるための下位の請求項を削除すると共に、項番を訂正するものであり、明りょうでない記載の釈明を目的とする訂正である。
　
ｃ．そして、上記訂正事項は、いずれも願書に添付した明細書に記載した事項の範囲内の訂正であり、また、実質上特許請求の範囲を拡張し、又は変更するものでもないから、特許法第１２０条の４第２項ただし書き並びに同法第１２０条の４第３項で準用する同法第１２６条第２項及び第３項の規定に適合するものであるので、訂正を認める。     
　
 ３．特許異議申立についての判断
１）本件発明
 　上記２．に示したように本件訂正は認められるから、本件特許の請求項１〜１３に係る発明は、訂正明細書の特許請求の範囲の請求項１〜１３に記載された事項により特定される、次のとおりのものである。
　
【特許請求の範囲】
　　【請求項１】　（ａ）−　ケラチン誘導体、
−　アニオン性、カチオン性、両性、または非イオン性のキチンまたはキトサン誘導体、
−　セルロース誘導体、
−　アクリル酸ポリマーまたはコポリマー、
−　ポリビニルピロリドン、
−　ビニルコポリマー、
−　アニオン性ポリエステル及び／又はポリエステルアミドのポリマーであって、−ＳＯ3Ｍ官能基（式中、Ｍは水素原子、アンモニウムイオン、または金属イオンを表す）を有するモノマーを含有するもの、
−　アラビアゴム、グアガム、キサンタン誘導体、カラヤゴム、アルギナート、カラゲーナート、セラック樹脂、サンダラック、ダマール樹脂、エレミガム及びコーパル樹脂から選択される、変性されていてもよい天然由来のポリマー
から選択される少なくとも１つの皮膜形成ポリマーを含有する少なくとも１つの水性相、
（ｂ）４０〜１１０℃の融点を有する少なくとも１つのロウを含有する少なくとも１つの脂肪相、
（ｃ）（ｉ）次の一般式（Ｉ）：
［上式（Ｉ）中、
−Ｒ1は、同一でも異なっていてもよく、水素原子、メチル基、またはフェニル基を表し、
−Ｒ2は、同一でも異なっていてもよく、
　　　−（ＣXＨ2X）−（ＯＣ2Ｈ4）a−（ＯＣ3Ｈ6）b−ＯＲ3を表し、
−Ｒ3は、同一でも異なっていてもよく、水素原子、１〜１２の炭素原子を有する直鎖状または分枝状のアルキル基、または２〜１２の炭素原子を有する直鎖状または分枝状のアシル基から選択され、
−ｎは、０〜１０００の範囲内にあり、
−ｐは、１〜３０の範囲内にあり、
−ａは、０〜５０の範囲内にあり、
−ｂは、０〜５０の範囲内にあり、
−ａ＋ｂは、１以上であり、
−ｘは、１〜５の範囲内にあり、
−数平均分子量が、１５０００以上である］で表される化合物から選択されるオキシアルキレン化されたシリコーン、
（ｉｉ）直鎖状のポリシロキサン−ポリオキシアルキレンブロックコポリマー：
から選択される少なくとも１つのシリコーン剤、
を有することを特徴とする化粧品組成物。
　　【請求項２】　組成物の全重量に対して、０．２５〜２５重量％の少なくとも１つの顔料をさらに含有することを特徴とする請求項１記載の組成物。
　　【請求項３】　次に示す条件：
−Ｒ1は、メチル基を示す：
−Ｒ3は、水素原子、メチル基、またはアセチル基を表す：
−ｐは、８〜２０の範囲内にある：
−ａは、５〜４０である：
−ｂは、５〜４０である：
−ｘは、２または３に等しい：
−ｎは、２０〜６００の範囲内にある：
のうち、少なくとも１つの条件を満足させる、一般式（Ｉ）のオキシアルキレン化されたシリコーンを含有することを特徴とする請求項１記載の組成物。
　　【請求項４】　直鎖状のポリシロキサン−ポリオキシアルキレンブロックコポリマーが、次の式（ＩＩ）：
［上式（ＩＩ）中、
−ＲおよびＲ’は、同一でも異なっていてもよく、脂肪族不飽和物を含有しない一価の炭化水素基を表し、
−ｎ’は、２〜４の整数であり、
−ａ’は、５以上の整数であり、
−ｂ’は、４以上の整数であり、
−ｃ’は、４以上の整数であり、
−Ｙは、酸素原子により、ポリオキシアルキレンブロックに、また炭素−ケイ素結合により、隣接するケイ素原子に結合する、二価の有機基を表し、
−各々のシロキサンブロックの平均分子量が、４００〜１００００であり、各々のポリオキシアルキレンブロックの平均分子量が、３００〜１００００であり、
−シロキサンブロックが、ブロックコポリマーの、１０〜９０重量％であり、
−ブロックコポリマーの平均分子量が、少なくとも３０００である］で表されるものに相当することを特徴とする請求項１ないし３のいずれか１項に記載の組成物。
　　【請求項５】　ロウが、６０〜１１０℃の融点を有し、仏国規格ＮＦＴの００４、または米国規格ＡＳＴＭのＤ５に準じて測定して、２５℃で、３〜４０の針貫通性を有するものから選択されることを特徴とする請求項１ないし４のいずれか１項に記載の組成物。
　　【請求項６】　組成物の全重量に対して、６〜４０重量％のロウを含有することを特徴とする請求項１ないし５のいずれか１項に記載の組成物。
　　【請求項７】　組成物の全重量に対して、０．１〜２５重量％の皮膜形成ポリマーを含有することを特徴とする請求項１ないし６のいずれか１項に記載の組成物。
　　【請求項８】　組成物の全重量に対して、０．０１〜５重量％のシリコーン剤を含有することを特徴とする請求項１ないし７のいずれか１項に記載の組成物。
　　【請求項９】　皮膜形成ポリマーの全重量に対して、１０〜３０重量％のシリコーン剤を含有することを特徴とする請求項１ないし８のいずれか１項に記載の組成物。
　　【請求項１０】　組成物の全重量に対して、３０〜８０重量％の水を含有する水中油型エマルションの形態であることを特徴とする請求項１ないし９のいずれか１項に記載の組成物。
　　【請求項１１】　水性相が、組成物の全重量に対して、０．１〜２５重量％であるロウ中水型分散体の形態であることを特徴とする請求項１ないし９のいずれか１項に記載の組成物。
　　【請求項１２】　マスカラまたはライナー、もしくはマスカラまたはライナーを調製するためのベースを構成することを特徴とする請求項１ないし１１のいずれか１項に記載の組成物。
　　【請求項１３】　乾燥早さが改善され、および／またはまつげをより良好に長くし、および／またはくずれに対し良好な耐性を有し、および／または加重性が改善され、および／または経時的により良好な保持力を有するメークアップをするための、請求項１ないし１２のいずれか１項に記載の組成物の使用。
　
２）取消理由通知の概要
（１）本件特許の請求項１〜３、６〜１３、１５に係る発明は、その出願の日前の特許出願であって、その出願後に出願公開がされた下記先願Ａの特許出願の願書に最初に添付された明細書に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定に違反してされたものである。
（２）引用例Ｂの実施例１、３に記載の組成物において、有機シリコーン樹脂、ヒアルロン酸、コンドロイチン硫酸及びアテロコラーゲンはいずれも本件特許請求の範囲に記載の皮膜形成ポリマーに該当し、該実施例には本件発明の組成物が記載されているから、本件特許の請求項１〜３、６〜９、１２〜１５に係る発明は、その出願前日本国内において頒布された下記の刊行物Ｂに記載された発明であり、特許法第２９条第１項第３号の規定に違反してされたものである。
（３）刊行物Ｃ，Ｄの実施例に記載の化粧品組成物の乳化剤に代えて刊行物Ｂに記載の乳化剤であるポリオキシアルキレン変性オルガノポリシロキサンを用いることは当業者が容易に想到しうることであり、本件特許の請求項１〜１５に係る発明は、その出願前日本国内において頒布された下記の刊行物Ｂ〜Ｄに記載された発明に基づいて、その出願前にその発明の属する技術の分野における通常の知識を有する者が容易に発明をすることができたものであるから、特許法第２９条第２項の規定に違反してされたものである。
　
 先願Ａ：特願平８−５３４８４０（特表平１１−５０５５４４号公報参照、特許異議申立人 福島一郎の甲第１号証）  　
 刊行物Ｂ：特開昭６２−２３８２１２号公報（特許異議申立人 福島一郎の甲第２号証） 
 刊行物Ｃ：特開平７−２９１８２６号公報（特許異議申立人 福島一郎の甲第３号証）
　刊行物Ｄ：特開平７−１８７９５７号公報（特許異議申立人 福島一郎の甲第４号証）
　　
３）引用先願及び引用刊行物の記載事項
　
先願Ａ
　（ａ）水性エマルジョン中の約０．１重量％〜約６０重量％の不溶性高分子物質と（ｂ）０．１〜約１０重量％の、下記一般式：
　　　　
　
（式中、Xは水素原子、C１〜C１６のアルキル、アルコキシ又はアシル基であり，YはC８〜C２２のアルキル又はアルコキシ基てあり，nは約０〜約２００であり，mは約１〜約４０てあり，qは約１〜約１００であり，（C２Ｈ４Ｏ−）ｘ（C３Ｈ６Ｏ−）yＸ残基の分子量は約２５０〜約２０００であり；ｘ及びyはオキシエチレン基／オキシプロピレン基の重量比が約１００：０〜約２０：８０となるように選ばれる）を有するアルキル−又はアルコキシジメチコーンコポリオールを含むマスカラ等の使用に適する化粧用メークアップ組成物（請求項１）が記載されおり、実施例Ｉ−Vには、油相に蜜蝋、カルナウバワックス、パラフィンワックス、黒色酸化鉄、セチルジメチコーンコポリオール、アンモニウムアクリレートを含む油中水型エマルジョンが記載されている。
　
刊行物Ｂ
　平均式（Ａ）
　　　　　
（Ｒは炭素数１〜６までの炭化水素基又はフェニル基を表し、nは１．０〜１．８までの値を示す）で示される有機シリコーン樹脂と乳化剤、保湿剤及び水を必須成分とすることを特徴とするメーキャップ化粧料が記載され（特許請求の範囲第１項）、乳化剤がポリオキシアルキレン変性オルガノポリシロキサンであることも記載（同第３項）されている。そして、実施例１には、有機シリコーン樹脂、乳化剤としてポリエーテル変性ジメチルポリシロキサン、保湿剤としてヒアルロン酸を含むアイシャドースティックが、また、実施例３には有機シリコーン樹脂、乳化剤としてポリエーテル変性ジメチルポリシロキサン、保湿剤としてコンドロイチン硫酸及びアテロコラーゲンを含むマスカラが記載されている。
　
刊行物Ｃ
　シェラック樹脂、サンダラックガム、エレミ、ダンマーおよびコーパルからなる群から単独または混合物の形態で選択される天然に由来する樹脂の水性分散物を単独または混合物の形態で含有することを特徴とする化粧品組成物が記載され（請求項６）、実施例６には、トリエタノールアミン＝ステアラート、蜜ろう、カルナウバろう、パラフィン、鉄黒、アラビアゴム、ヒドロキシエチル＝セルロース、シェラック樹脂を含むマスカラが、また、実施例７には、実施例の６の シェラック樹脂に代えてサンダラックガムを使用し、ケラチン水解物を添加したマスカラがそれぞれ記載されている。
　
刊行物Ｄ
　アクリル系樹脂エマルジヨンを１０．０〜６０．０重量％、およびエチレンオキサイドの付加モル数が６０以上であるポリオキシエチレンアルキルフェニルエーテルを０．１から５．０重量％配合することを特徴とする液状アイメイクアップ化粧料が記載され（請求項１）、【００１６】には、上記化粧料成分として更に顔料、ステアリン酸、ミツロウを包含するマスカラの調製法が、また、【００３４】及び【００３５】には実施例７としてアイライナーの調整例が記載されている。
　
４）当審における判断
（１）２９条の２について
Ａ．請求項１に対して
　訂正後の請求項に係る本件特許発明（以下、「本件発明」という）と先願Aに記載の発明とを対比すると、本件発明の化粧品組成物は請求項１に記載の特定のシリコーン剤を含むものであるのに、先願発明では、本件発明とは異なるシリコーン剤を使用したものであり、両者は組成物の組成が異なっている。
　すなわち、本件発明のオキシアルキレン化されたシリコーンはポリシロキサン骨格中のケイ素原子に結合するR１が水素原子、メチル基又はフェニル基であるのに対し、先願Ａに記載のアルキル又はアルコキシジメチコーンコポリオールでは、ポリシロキサン骨格中のケイ素原子に結合する置換基ＹとしてC８〜C２２の長鎖アルキル又はアルコキシからなる置換基を必須とし、実施例Ｉ−VでもＹがセチル基であるセチルジメチコーンコポリオールを使用しているのであり、両者はシリコーン剤の化学構造が異なっている。
　したがって、本件特許発明が先願発明と同一であり、特許法第２９条の２に該当するということはできない。
　
Ｂ．請求項２、５〜１３（訂正前の請求項２、６〜１３、１５に相当、訂正前の請求項３、１４は削除された）に対して
   請求項２、５〜１２は、請求項１に記載の組成物の組成を具体的に記載するか、その用途を更に限定したものであるし、請求項１３は請求項１に記載の組成物の使用方法に関するものであるから、請求項１にかかる本件発明が先願Ａに記載の発明と同一でない以上、上記の請求項に係る本件発明についても、上記Ａ．で指摘したとおりの理由によって先願Ａに記載の発明と同一とすることはできない。
　
（２）２９条第１項第３号について
Ａ．請求項１に対して
　本件発明と刊行物Ｂに記載の発明とを対比すると、刊行物Ｂに記載の皮膜形成ポリマーである有機シリコーン樹脂は、訂正により本件発明の組成物の皮膜形成ポリマーではなくなった。また、刊行物Ｂの実施例１では、皮膜形成ポリマーとしての有機シリコーン樹脂の他に、保湿剤としてヒアルロン酸を使用した化粧品組成物が記載されており、ヒアルロン酸は本件特許明細書の４０段落に本件訂正前の発明における皮膜形成ポリマーとして例示されていたものの１つであるが、これも訂正により本件発明の皮膜形成ポリマーではなくなった。さらに、実施例３では、保湿剤としてコンドロイチン硫酸及びアテロコラーゲンが包含されており、これは、皮膜形成作用を有するポリマーではあるが、これも訂正後の本件発明の皮膜形成ポリマーには該当しない。
　よって、本件発明の特定の皮膜形成ポリマーを含有する組成物がこれを含有しない刊行物Ｂの実施例１または３に記載の組成物と同じであるとはいえない。
　したがって、本件発明は引用例Ｂに記載された発明とは認められない。
　
Ｂ．請求項２、５〜８、１１〜１３（訂正前の請求項２、６〜９、１２、１５に相当、訂正前の請求項３、１４は削除された）に対して
　請求項２、５〜８、１１〜１２は、請求項１に記載の組成物の組成を具体的に記載するか、その用途を更に限定したものであるし、請求項１３は請求項１に記載の組成物の使用方法に関するものであるから、請求項１にかかる本件発明が引用例Ｂに記載されている発明とはいえない以上、上記の請求項に係る本件発明についても、上記Ａ．で指摘したとおり引用例Ｂに記載された発明であるとは認められない。
　
（３）２９条第２項について
Ａ．請求項１に対して
　刊行物Cの実施例６及び７には、本件発明の皮膜形成ポリマーに該当する樹脂とロウを含むマスカラが記載されているが、乳化剤に関連した記載は、天然樹脂の安定化剤として界面活性剤を添加する点（２２段落及び２８段落）および実施例７で、サンダラックガムの安定な水性分散物を得るために界面活性剤としてナトリウム＝ラウリル＝スルファートを使用している点の記載以外にはなく、引用例Ｃには、上記実施例に記載の組成物に、刊行物Ｂに記載の特定の乳化剤を採用することを示唆する記載は全くなされていない。
　また、引用例Ｂは、有機シリコーン樹脂を含む化粧品に水と保湿剤を安定に配合するための乳化剤としてポリオキシアルキレン変性オルガノポリシロキサンを配合する点に特徴を有するものであり、引用例Ｂで必須とされる有機シリコーン樹脂を全く包含しない引用例Ｃの実施例に記載の組成物に、ポリオキシアルキレン変性オルガノポリシロキサンを配合することは引用例Ｂからは全く想定できない。
　そして、本件発明においては、本件請求項１に記載の皮膜形成ポリマー、ロウ及び特定のシリコーン剤を組み合わせた化粧品組成物とすることにより、乾燥速度、まつげの保持力、加重性、耐摩擦性の点に関し、本件特許明細書の各実施例に記載されたような優れた効果を奏するものである。
　　
　したがって、本件発明が刊行物Ｂ，Ｃから、当業者が容易に想到し得たものであると認めることはできない。
　　
　刊行物Ｄについては、実施例１〜７に、本件発明の皮膜形成ポリマーに該当するアクリル樹脂とロウを含むマスカラ等の化粧品が記載されているが、刊行物Ｄの組成物ではポリオキシエチレンアルキルフェニルエーテルは発明の必須成分であり、当業者がこれを他の成分に置換することが容易であるとすることはできない。
　そして、本件発明においては、前述の通り本件請求項１に記載の化粧品組成物とすることにより、本件特許明細書に記載された優れた効果を奏するものである。
  したがって、本件発明が刊行物Ｂ，Ｄから、当業者が容易に想到し得たものであると認めることもできない。
　
　以上の通り、本件発明は、刊行物Ｂ〜Ｄに記載された発明に基づいて当業者が容易に発明し得たものと認めることはできない。
　
Ｂ．請求項２〜１３（訂正前の請求項２、４〜１３、１５に相当、訂正前の請求項３、１４は削除された）に対して
   請求項２〜１２は、請求項１に記載の組成物の組成を具体的に記載するか、その用途を更に限定したものであるし、請求項１３は請求項１に記載の組成物の使用方法に関するものであるから、請求項１にかかる本件発明が引用例Ｂ〜Ｄに記載の発明に基づいて当業者が容易に発明し得たものとはいえない以上、上記の請求項に係る本件発明についても、上記Ａ．で指摘したとおり引用例Ｂ〜Ｄに記載の発明に基づいて当業者が容易に発明し得たものと認めることはできない。
　
４．むすび　
　以上のとおりであるから、特許異議申立ての理由及び証拠によっては、本件の請求項１〜１３に係る発明についての特許を取り消すことができない。
　よって、結論のとおり決定する。
【異議決定日】
平成１５年１２月２５日（２００３．１２．２５）
【訂正の要旨】
審決（決定）の【理由】欄参照。
（５４）【発明の名称】
目のメークアップ用組成物
（５７）【特許請求の範囲】
　【請求項１】　（ａ）
−　ケラチン誘導体、
−　アニオン性、カチオン性、両性、または非イオン性のキチンまたはキトサン誘導体、
−　セルロース誘導体、
−　アクリル酸ポリマーまたはコポリマー、
−　ポリビニルピロリドン、
−　ビニルコポリマー、
−　アニオン性ポリエステル及び／又はポリエステルアミドのポリマーであって、−ＳＯ３Ｍ官能基（式中、Ｍは水素原子、アンモニウムイオン、または金属イオンを表わす）を有するモノマーを含有するもの、
−　アラビアゴム、グアガム、キサンタン誘導体、カラヤゴム、アルギナート、カラゲーナート、セラック樹脂、サンダラック、ダマール樹脂、エレミガム及びコーパル樹脂から選択される、変性されていてもよい天然由来のポリマー
から選択される
（ｂ）
４０〜１１０℃の融点を有する少なくとも１つのロウを含有する少なくとも１つの脂肪相、
（ｃ）
　（ｉ）　
次の一般式（Ｉ）：
　
【化１】
［上式（Ｉ）中、
−　Ｒ１は、同一でも異なっていてもよく、水素原子、メチル基、またはフェニル基を表し、
−　Ｒ２は、同一でも異なっていてもよく、
　　
−（ＣＸＨ２Ｘ）−（ＯＣ２Ｈ４）ａ−（ＯＣ３Ｈ６）ｂ−ＯＲ３
を表し、
−　Ｒ３は、同一でもなっていてもよく、水素原子、１〜１２の炭素原子を有する直鎖状または分枝状のアルキル基、または２〜１２の炭素原子を有する直鎖状または分枝状のアシル基から選択され、
−　ｎは、０〜１０００の範囲内にあり、
−　ｐは、１〜３０の範囲内にあり、
−　ａは、０〜５０の範囲内にあり、
−　ｂは、０〜５０の範囲内にあり、
−　ａ＋ｂは、１以上であり、
−　ｘは、１〜５の範囲内にあり、
−　数平均分子量が、１５０００以上である］で表される化合物から選択される
　（ｉｉ）直鎖状のポリシロキサン−ポリオキシアルキレンブロックコポリマー：
から選択される少なくとも１つのシリコーン剤、
を有することを特徴とする化粧品組成物。
　【請求項２】　組成物の全重量に対して、０．２５〜２５重量％の少なくとも１つの顔料をさらに含有することを特徴とする請求項１記載の組成物。
　【請求項
３
−Ｒ１は、メチル基を示す：
−Ｒ３は、水素原子、メチル基、またはアセチル基を表す：
−ｐは、８〜２０の範囲内にある：
−ａは、５〜４０である：
−ｂは、５〜４０である：
−ｘは、２または３に等しい：
−ｎは、２０〜６００の範囲内にある：
のうち、少なくとも１つの条件を満足させる、一般式（Ｉ）のオキシアルキレン化されたシリコーンを含有することを特徴とする請求項
１
　【請求項
４
　【化２】
　　（［Ｙ（Ｒ２ＳｉＯ）ａ’Ｒ’２ＳｉＹＯ］［（Ｃｎ’Ｈ２ｎ’Ｏ）ｂ’］）ｃ‘
　　　　　　　　　　　　　　　　　　　　　　　　　　　　　　　　（ＩＩ）
［上式（ＩＩ）中、
−ＲおよびＲ’は、同一でも異なっていてもよく、脂肪族不飽和物を含有しない一価の炭化水素基を表し、
−ｎ’は、２〜４の整数であり、
−ａ’は、５以上の整数であり、
−ｂ’は、４以上の整数であり、
−ｃ’は、４以上の整数であり、
−Ｙは、酸素原子により、ポリオキシアルキレンブロックに、また炭素−ケイ素結合により、隣接するケイ素原子に結合する、二価の有機基を表し、
−各々のシロキサンブロックの平均分子量が、４００〜１００００であり、各々のポリオキシアルキレンブロックの平均分子量が、３００〜１００００であり、
−シロキサンブロックが、ブロックコポリマーの、１０〜９０重量％であり、
−ブロックコポリマーの平均分子量が、少なくとも３０００である］で表されるものに相当することを特徴とする請求項１ないし
３
　【請求項
５
４
　【請求項
６
５
　【請求項
７
６
　【請求項
８
７
　【請求項
９
８
　【請求項
１０
９
　【請求項
１１
９
　【請求項
１２
１１
　【請求項
１３
１２
【発明の詳細な説明】
　【０００１】
　【発明の属する技術分野】
　本発明は、オキシアルキレン化されたシリコーン誘導体を含有する組成物、特に、目のメークアップ用の組成物に関する。これらの組成物は、化粧品特性、特に保持力が改善されている。
　【０００２】
　【従来の技術および発明が解決しようとする課題】
　多くのマスカラ調製物が市販されている。しかしながら、消費者は、これらのマスカラの特性を改善すること、すなわち、さらに、まつげを長くし、まつげへの組成物の付着が良好で、良好に形を整えることができ（これはまつげの重み付け（ｗｅｉｇｈｔｉｎｇ）とも称される）、経時的に良好なメークアップ保持力を有し、機械的ストレスに対する抵抗力を有するマスカラを所望している。
　例えば、ある使用者は、日中から夕方まで、同じメークアップが維持できることを望んでいる。また、まぶたを指で擦ったり、まつげと眼鏡が接触することにより、マスカラは砕けてしまう傾向にあることが知られている。特に、まつげのメークアップ用組成物中に顔料および／またはフィラーが存在すると、これらの組成物は特にくずれる。現在までに知られている組成物には、この問題が満足に解決されているものはなかった。
　【０００３】
　本発明の目的は、素早く乾燥し、まつげの重み付けおよび伸長化、保持力、および機械的強度といった特性が改善された組成物、特に、目のメークアップ用組成物を提供することにある。
　【０００４】
　【課題を解決するための手段および発明の実施の形態】
　本発明の主題は：
　（ａ）少なくとも１つの皮膜形成ポリマーを含有する少なくとも１つの水性相、
　（ｂ）少なくとも１つのロウを含有する少なくとも１つの脂肪相、
　（ｃ）（ｉ）　オキシアルキレン化されたシリコーン、および／または
　　　　（ｉｉ）直鎖状のポリシロキサン−ポリオキシアルキレンブロックコポリマー：
から選択される少なくとも１つのシリコーン剤、
を含有することを特徴とする化粧品組成物、特に、まつげのメークアップ用組成物にある。
　【０００５】
　これらの組成物は、好ましくは、水性相中に脂肪相があるエマルション、または脂肪相に水性相がある分散体の形態である。
　【０００６】
　これまでにも、ジメチコーンコポリオールは、油中水型の組成物においては乳化剤として、またヘアスタイリング製品においては可塑剤として、様々な利用法が知られている。例えば、参考として、欧州特許公開第７０５５９５号公報を挙げることができ、この公報には、固定用樹脂（ｆｉｘｉｎｇ　ｒｅｓｉｎｓ）のフレキシビリティを改善するために、ポリカルボン酸またはジメチコーンコポリオールの可塑剤を含有する、ヘアスタイリング用組成物が記載されている。
　【０００７】
　しかしながら、前記公報に記載されている組成物は、その構造に関して、目のメークアップ用組成物とは非常に異なる。特に、これらの組成物は、顔料もフィラーも含有せず、多量のロウも含有しない。よって、この公報を読んでも、当業者が、まつげの伸長化、まつげへの付着性、まつげへの加重、メークアップの保持力、および機械的ストレスに対するマスカラの抵抗力が、ジメチコーンコポリオールの使用により、はっきりとわかるように改善できると考えつくには至らない。
　【０００８】
　また、本発明の組成物は、有利には、無機顔料、有機顔料、および任意に真珠光沢顔料から選択される、少なくとも１つの顔料を含有する。これらの顔料は、所望の着色および着色強度が得られるように、組成物の全重量に対して、０．２５〜２５重量％、好ましくは１〜２０重量％の範囲内の割合で含有される。使用可能な顔料としては、クロム、鉄、または亜鉛の酸化物、フェリック・ブルー（ｆｅｒｒｉｃ　ｂｌｕｅ）、カーボンブラック、および一般的に使用されている酸性染料の塩であるレーキ類を挙げることができる。
　【０００９】
　本発明の組成物は、オキシアルキレン化されたシリコーンとすることができる、シリコーン剤を含有する。
　特に、オキシアルキレン化されたシリコーンは、ケイ素原子に直接結合する、Ｃ８−Ｃ２２のアルコキシまたはアルキル基を含有しない。
　【００１０】
　オキシアルキレン化されたシリコーンは、次の一般式（Ｉ）：
　【化３】
［上式（Ｉ）中、
−Ｒ１は、同一でも異なっていてもよく、水素原子、直鎖状または分枝状でＣ１−Ｃ３０のアルキル基、またはフェニル基を表し、
−Ｒ２は、同一でも異なっていてもよく、
　　−（ＣＸＨ２Ｘ）−（ＯＣ２Ｈ４）ａ−（ＯＣ３Ｈ６）ｂ−ＯＲ３
を表し、
−Ｒ３は、同一でも異なっていてもよく、水素原子、１〜１２の炭素原子を有する直鎖状または分枝状のアルキル基、または２〜１２の炭素原子を有する直鎖状または分枝状のアシル基から選択され、
−ｎは、０〜１０００の範囲内にあり、
−ｐは、１〜３０の範囲内にあり、
−ａは、０〜５０の範囲内にあり、
−ｂは、０〜５０の範囲内にあり、
−ａ＋ｂは、１以上であり、
−ｘは、１〜５の範囲内にあり、
−数平均分子量が、１５０００以上、好ましくは２５０００〜７５０００である］
で表される化合物で、さらにジメチコーンコポリオールと称されるものから選択される。
　【００１１】
　好ましくは、一般式（Ｉ）のオキシアルキレン化されたシリコーンは、次に示す条件：
−Ｒ１は、メチル基を示す：
−Ｒ３は、水素原子、メチル基、またはアセチル基、好ましくは水素原子を表す
：−ｐは、８〜２０の範囲内にある：
−ａは、５〜４０、好ましくは１５〜３０である：
−ｂは、５〜４０、好ましくは１５〜３０である：
−ｘは、２または３に等しい：
−ｎは、２０〜６００、好ましくは５０〜５００、さらに好ましくは１００〜３００の範囲内にある：
のうち、少なくとも１つ、好ましくは全てを満足させるものが使用される。
　【００１２】
　このようなシリコーンは、例えば、米国特許第４３１１６９５号に記載されており、この特許文献は出典明示により記載がここに取り込まれる。
　【００１３】
　ジメチコーンコポリオールは、特に、１９９２年１０月の、第１７回、Ｉ．Ｆ．Ｓ．Ｃ．Ｃ．国際会議において、ダウ・コーニング社から発表されており、リンダ・マドーレ（Ｌｉｎｄａ　Ｍａｄｏｒｅ）らの論文「ヒトのケア産業用の水溶性ジメチコーンコポリオールワックス（Ｗａｔｅｒ−ｓｏｌｕｂｌｅ　ｄｉｍｅｔｈｉｃｏｎｅ　ｃｏｐｏｌｙｏｌ　ｗａｘｅｓ　ｆｏｒ　ｐｅｒｓｏｎａｌ　ｃａｒｅ　ｉｎｄｕｓｔｒｙ）」（頁１〜３）において報告されている。
　【００１４】
　これらのジメチコーンコポリオールは、一または複数のエーテル官能基（オキシアルキレン、特にオキシエチレンおよび／またはオキシプロピレン）を含有する水溶性のポリジメチルシロキサン（ＰＤＭＳ）である。
　【００１５】
　このようなジメチコーンコポリオールは、特に、ゴールドシュミット社から「アビル（Ａｂｉｌ）Ｂ８８５１」または「アビルＢ８８１８３」の名称で販売されている。また、シンエツ社から販売されている化合物「ＫＦ３５１〜３５４」および「ＫＦ６１５Ａ」、またはワッカー（Ｗａｃｋｅｒ）社の「ＤＭＣ６０３８」を挙げることができる。
　【００１６】
　本発明で使用可能なジメチコーンコポリオール誘導体は、特に、ホスファート、スルファート、プロピルジメチルアンモニウム−ミリスタミド（ｍｙｒｉｓｔａｍｉｄｅ）クロリド、ステアラート、アミン、グリコ変性（ｇｌｙｃｏｍｏｄｉｆｉｅｄ）されたものなどの基を含有するジメチコーンコポリオールである。特に、シルテック（Ｓｉｌｔｅｃｈ）社から「シルフォス（Ｓｉｌｐｈｏｓ）Ａ１００」、「シルテック・アミン６５」、「シルワックス（Ｓｉｌｗａｘ）ＷＤＩＳ」、「ミリスタミド−シリコーン−クワット（ｑｕａｔ）」の名称で販売されている化合物、またはフェニックス（Ｐｈｏｅｎｉｘ）社から「ペコシル（Ｐｅｃｏｓｉｌ）ＰＳ１００」の名称で販売されている化合物を、ジメチコーンコポリオール誘導体として使用することができる。
　【００１７】
　また、ワッカー社から「ＶＰ１６６１」の名称で、またはダウコーニング社から「２５０１コスメティック・ワックス」の名称で販売されている誘導体を使用することもできる。
　【００１８】
　最も好ましいシリコーンは、例えば、ダウコーニング社から「Ｑ２−５２２０」の商品名で、またローンプーレンク（Ｒｈｏｎｅ−Ｐｏｕｌｅｎｃ）社から「ミラシル（Ｍｉｒａｓｉｌ）・ＤＭＣＯ」の名称で販売されているものである。
　【００１９】
　本発明において、直鎖状のポリシロキサン−ポリオキシアルキレンブロックコポリマーが使用される場合、これらは、好ましくは、次の一般式（ＩＩ）：
　【化４】
　　（［Ｙ（Ｒ２ＳｉＯ）ａ’Ｒ’２ＳｉＹＯ］［（Ｃｎ’Ｈ２ｎ’Ｏ）ｂ’］）ｃ‘
　　　　　　　　　　　　　　　　　　　　　　　　　　　　　　　　（ｌｌ）
［上式（ＩＩ）中、
−ＲおよびＲ’は、同一でも異なっていてもよく、脂肪族不飽和物を含有しない一価の炭化水素基を表し、
−ｎ’は、２〜４の整数であり、
−ａ’は、５以上の整数であり、
−ｂ’は、４以上の整数であり、
−ｃ’は、４以上の整数であり、
−Ｙは、酸素原子により、ポリオキシアルキレンブロックに、また炭素−ケイ素結合により、隣接するケイ素原子に結合する、二価の有機基を表し、
−各々のシロキサンブロックの平均分子量が、約４００〜約１００００であり、各々のポリオキシアルキレンブロックの平均分子量が、約３００〜約１００００であり、
−シロキサンブロックが、約１０〜約９０重量％のブロックコポリマーを表し、
−ブロックコポリマーの平均分子量が、少なくとも３０００である］を有する。
　【００２０】
　基ＲおよびＲ’は、より好ましくは、アルキル基、例えば、メチル、エチル、プロピル、ブチル、ペンチル、ヘキシル、オクチル、デシル、およびドデシル基；アリール基、例えば、フェニルおよびナフチル基；アラルキル基、例えば、ベンジルおよびフェニルエチル基；トリル、キシリル、およびシクロヘキシル基を含むグループから選択される。
　【００２１】
　二価の基Ｙは、好ましくは、−Ｒ”−、−Ｒ”−ＣＯ−、−Ｒ”−ＮＨＣＯ−、−Ｒ”−ＮＨ−ＣＯ−ＮＨ−Ｒ”’−ＮＨＣＯ、または−Ｒ”−ＯＣＯＮＨ−Ｒ”’−ＮＨＣＯ−であり、ここで、Ｒ”は、二価のアルキレン基、例えば、エチレン、プロピレン、またはブチレンであり、Ｒ”’は、二価のアルキレン基、または二価のアリーレン基、例えば、−Ｃ６Ｈ４−、−Ｃ６Ｈ４−Ｃ６Ｈ４−、−Ｃ６Ｈ４−ＣＨ２−Ｃ６Ｈ４−、または−Ｃ６Ｈ４−ＣＨ（ＣＨ３）２−Ｃ６Ｈ４−である。
　【００２２】
　さらに好ましくは、Ｙは、二価のアルキレン基、特に、−ＣＨ２−ＣＨ２−ＣＨ２−を表す。
　【００２３】
　本発明で使用されるブロックコポリマーの調製は、特に、欧州特許公開第０４９２６５７・Ａ１号公報に記載されている。
　【００２４】
　本発明の特定の実施態様において、ブロックコポリマーは、次のコポリマー：
　　［［（ＣＨ３）２ＳｉＯ］４１（ＣＨ３）２ＳｉＣＨ２ＣＨ（ＣＨ３）ＣＨ２−Ｏ（Ｃ２Ｈ４Ｏ）１８−（Ｃ３Ｈ６Ｏ）３３ＣＨ２ＣＨ（ＣＨ３）ＣＨ２］１６．１
　　［［（ＣＨ３）２ＳｉＯ］３１（ＣＨ３）２ＳｉＣＨ２ＣＨ（ＣＨ３）ＣＨ２−Ｏ（Ｃ２Ｈ４Ｏ）２０−（Ｃ３Ｈ６Ｏ）２９ＣＨ２ＣＨ（ＣＨ３）ＣＨ２］１３．３
　　［［（ＣＨ３）２ＳｉＯ］９（ＣＨ３）２ＳｉＣＨ２ＣＨ（ＣＨ３）ＣＨ２−Ｏ（Ｃ２Ｈ４Ｏ）２０−（Ｃ３Ｈ６Ｏ）２９ＣＨ２ＣＨ（ＣＨ３）ＣＨ２］２６．３
　　［［（ＣＨ３）２ＳｉＯ］１６（ＣＨ３）２ＳｉＣＨ２ＣＨ（ＣＨ３）ＣＨ２−Ｏ（Ｃ２Ｈ４Ｏ）１８−（Ｃ３Ｈ６Ｏ）２０ＣＨ２ＣＨ（ＣＨ３）ＣＨ２］２１．５
　　［［（ＣＨ３）２ＳｉＯ］９（ＣＨ３）２ＳｉＣＨ２ＣＨ（ＣＨ３）ＣＨ２−Ｏ（Ｃ２Ｈ４Ｏ）５−ＣＨ２ＣＨ（ＣＨ３）ＣＨ２］４．８
から選択される。
　【００２５】
　本発明の組成物に使用されるシリコーン剤は、水溶性または脂溶性であってよい。それらが水溶性であるか、または脂溶性であるかにより、それぞれ、水性相または脂肪相に導入される。
　【００２６】
　本発明の組成物に使用可能なロウは、一般的に、４０〜１１０℃の融点を有し、仏国規格ＮＦＴの００４、または米国規格ＡＳＴＭのＤ・５に準じて測定して、２５℃で、３〜４０の針貫通性（ｎｅｅｄｌｅ　ｐｅｎｅｔｒａｔｉｏｎ）を有するものである。標準ＡＳＴＭのＤ・５およびＮＦＴ００４による針貫通性測定の原理は、２．５ｇの重さの規格化された針を、４７．５ｇのニードルホルダーに配したとき（すなわち、全体で５０ｇ）、針を５秒間ロウ上に配し、針が突き刺ささった深さ（１０分の１ミリメートルで表わされる）を測定することからなる。
　【００２７】
　本発明で使用可能なロウは、動物性ロウ、植物性ロウ、鉱物性ロウ、合成ロウ、および天然のロウの種々の留分で、上述した２つの物理的特性を有する全てのロウから選択されるものである。
　【００２８】
　動物性ロウとしては、ミツロウ、ラノリンロウ、および虫白蝋（Ｃｈｉｎｅｓｅ　ｉｎｓｅｃｔ　ｗａｘｅｓ）を挙げることができる。
　【００２９】
　植物性ロウとしては、ライスワックス（ｒｉｃｅ　ｗａｘｅｓ）、カルナウバロウ、キャンデリラロウ、オーリクリーロウ、コルク繊維のロウ、サトウキビロウ、モクロウ（Ｊａｐａｎ　ｗａｘｅｓ）、スマックロウ（ｓｕｍａｃｈ　ｗａｘｅｓ）、および綿実ロウを挙げることができる。
　【００３０】
　鉱物性ロウとしては、パラフィン、マイクロクリスタリンワックス、モンタンロウ、およびオゾケライトを挙げることができる。
　【００３１】
　使用可能な合成ロウとしては、特に、ポリエチレンワックス、フィッシャー・トロプシュ合成法により得られるロウ、ロウ状のコポリマーおよびそのエステル類、およびシリコーンワックスを挙げることができる。
　【００３２】
　また、上述した２つの物理的特性を満足させる、水素化された動物性または植物性油を使用することもできる。
　【００３３】
　これらの油としては、硬化ホホバワックス、直鎖状または非直鎖状でＣ８−Ｃ３２の脂肪鎖からなる脂肪物質を接触水素化させることによって得られた硬化油、硬化ヒマワリ油、硬化ヒマシ油、硬化ヤシ油、硬化ラノリン、および硬化パーム油を挙げることができる。
　【００３４】
　本発明で使用可能なロウは、好ましくは、５０℃未満の温度で堅く、固体状のものである。
　【００３５】
　これらのロウは、公知の方法、例えば、エル・エム・プリンス（Ｌ．Ｍ．Ｐｒｉｎｃｅ）編「マイクロエマルションの理論と実際（Ｍｉｃｒｏｅｍｕｌｓｉｏｎｓ　Ｔｈｅｏｒｙ　ａｎｄ　Ｐｒａｃｔｉｃｅ）」［アカデミック・プレス社（Ａｃａｄｅｍｉｃ　Ｐｒｅｓｓ）（１９７７）、２１−３２頁］の方法で調製され得る、コロイドロウ粒子の安定分散体の形態であってよい。
　【００３６】
　有利には、本発明の組成物は、組成物の全重量に対して、６〜４０重量％、好ましくは１０〜２５重量％のロウを含有する。
　【００３７】
　また、本発明の組成物は、コロイド状の分散体、またはコロイド状の溶液であってもよい溶液中に、少なくとも１つの皮膜形成ポリマーをさらに含有する。
　【００３８】
　皮膜形成ポリマーは、まつげが良好に分離し、大きな目といった印象を付与する湾曲化、コーティング、および伸長化、およびまつげへの組成物の付着性を良好にすることのできる量で使用される。
　【００３９】
　本発明の組成物は、好ましくは、組成物の全重量に対して、０．１〜２５重量％の範囲内の量の皮膜形成ポリマーを含有する。本発明の主題となる組成物は、有利には、組成物の全重量に対して、１〜１０重量％の範囲内の量で、皮膜形成ポリマーを含有する。
　【００４０】
　皮膜形成ポリマーは次に記載するものから選択可能である。すなわち、
−　ケラチン誘導体、例えば、ケラチン加水分解物、およびスルホン酸ケラチン（ｓｕｌｐｈｏｎｉｃ　ｋｅｒａｔｉｎｓ）；
−　アニオン性、カチオン性、両性、または非イオン性のキチンまたはキトサン誘導体；
−　セルロース誘導体、例えば、ヒドロキシエチルセルロース、ヒドロキシプロピルセルロース、メチルセルロース、エチルヒドロキシエチルセルロース、およびカルボキシメチルセルロース、並びにセルロースの第４級化誘導体；
−　アクリル酸ポリマーまたはコポリマー、例えばポリアクリラート、またはポリメタクリラート；
−　ポリビニルピロリドンおよびビニルのコポリマー、例えば、メチルビニルエーテルと無水リンゴ酸のコポリマー、または酢酸ビニルとクロトン酸のコポリマー；
−　水中において、コロイド状の分散体またはコロイド状の溶液であってもよい溶液を形成可能な、アニオン性のポリエステルおよび／またはポリエステルアミドのポリマーで、これらのポリマーは、−ＳＯ３Ｍ官能基（Ｍは、水素原子、アンモニウムイオンＮＨ４＋、または金属イオン、例えばＮａ＋、Ｌｉ＋、Ｋ＋、Ｍｇ２＋、Ｃａ２＋、Ｃｕ２＋、Ｆｅ２＋、またはＦｅ３＋イオンを表す）を担持するモノマーを含有するもの（特に、米国特許第３７３４８７４号、米国特許第４２３３１９６号、および米国特許第４３０４９０１号公報に記載のポリマーを挙げることができる。上述した−ＳＯ３Ｍ基をまた担持する、少なくとも１つの二官能性の芳香族モノマー、少なくとも１つのジオール、および少なくとも１つのジカルボン酸をベースとした皮膜形成ポリエステルポリマーが有利には選ばれる）；
−　変性されていてもよい、天然由来のポリマー、例えば：
　・アラビアゴム、グアガム、キサンタン誘導体、カラヤゴム；
　・アルギナート、およびカラゲーナート（ｃａｒｒａｇｅｅｎａｔｅｓ）；
　・グリコアミノグリカン類、ヒアルロン酸、およびその誘導体；
　・セラック樹脂、サンダラック、ダマール樹脂、エレミガム、およびコーパル樹脂、
から選択される。
　【００４１】
　本発明の組成物は、組成物の全重量に対して、好ましくは０．０１〜５重量％、さらに好ましくは０．４〜１．５重量％のシリコーン剤を含有する。本発明の組成物は、有利には、皮膜形成ポリマーの全重量に対して、１０〜３０重量％のシリコーン剤を含有する。
　【００４２】
　油相および水性相の成分は、別々に、８５℃で融解させるか、溶解させて、ついで、混合してよい。
　【００４３】
　本発明の組成物は、水中油型エマルション、またはロウ中水型分散体の形態にすることができる。
　【００４４】
　水中油型エマルションの形態で使用される場合、組成物は、組成物の全重量に対して、２〜３０重量％の割合で存在する乳化界面活性剤を含有し得る。これらの界面活性剤は、アニオン性または非イオン性の界面活性剤から選択される。界面活性剤の（乳化）機能および特性の定義付けについては、参照文献として、「化学技術辞典（Ｅｎｃｙｃｌｏｐｅｄｉａ　ｏｆ　Ｃｈｅｍｉｃａｌ　Ｔｅｃｈｎｏｌｏｇｙ）・カーク−オスマー（Ｋｉｒｋ−Ｏｔｈｍｅｒ）」［第２２巻、３３３−４３２頁、第３版、１９７９、ワイリィ社（Ｗｉｌｅｙ）を挙げることができ、特に、アニオン性および非イオン性の界面活性剤については、この参考文献の３４７−３７７頁を参照できる。
　【００４５】
　本発明の組成物において好ましく使用される界面活性剤としては、次のものを挙げることができる。
−　非イオン性界面活性剤：脂肪酸、脂肪アルコール、ポリエトキシル化またはポリグリセロール化された脂肪アルコール、例えばポリエトキシル化ステアリル、またはセチルステアリルアルコール、スクロースの脂肪酸エステル、アルキルグルコースエステル、特に、Ｃ１−Ｃ６のアルキルグルコースのポリオキシエチレン化された脂肪エステル。
−　アニオン性界面活性剤：ステアリン酸アミン。
　【００４６】
　本発明の組成物が水中油型エマルションである場合、有利には、水は、組成物の全重量に対して、３０〜８０重量％とされる。
　【００４７】
　本発明の組成物がロウ中水型の分散体の形態である場合、好ましくは、まつげまたは皮膚と接触して蒸発するが、それらが化粧品組成物中に存在すると、皮膚またはまつげに適用した際に、組成物の展伸が容易になる故に有用である、少なくとも揮発性の溶媒または有機油、および少なくとも１つの増粘剤をさらに含有する。ここでは、揮発性の溶媒または油と称される、このような展伸剤は、一般的に、２５℃で、少なくとも０．５ミリバール（すなわち、０．５×１０２Ｐａ）以上の飽和蒸気圧を有する有機化合物である。
　【００４８】
　増粘剤は、有機的に変性したクレー類、例えば、モンモリロナイト、およびヘクトライト誘導体、例えばベントナイトから選択することができる。
　【００４９】
　揮発性の溶媒または有機油の濃度は、組成物の全重量に対して、３５〜７０重量％である。揮発性の溶媒または有機油は、イソパラフィン、テレビン油、イソプロピルアルコール、エチルアルコール、ホワイトスピリット、シリコーン油、例えば、ヘキサメチルジシロキサン、シクロペンタジメチルシロキサン、およびシクロテトラメチルシロキサン、フッ化油、例えば、ガルデン（Ｇａｌｄｅｎ）［モンテフルオス（Ｍｏｎｔｅｆｌｕｏｓ）社］の名称で市販されているもの、またはイソパラフィン油、例えば、イソパー（Ｉｓｏｐａｒ）（Ｅ、Ｇ、ＬまたはＨ）の名称で市販されているもの、およびイソドデカンから選択され得る。
　【００５０】
　本発明の実施態様において、水性相は、好ましくは、組成物の全重量に対して、０．１〜２５重量％である。
　【００５１】
　ロウ中水型分散体の形態の組成物を調製するための参考文献として、国際特許第９１／１２７９３号公報を挙げることができ、これらの分散体は、さらに、耐水性を有する。
　【００５２】
　また、本発明の組成物は、化粧品に通常使用される成分、例えば、ビタミン類、微量元素、柔軟剤、金属イオン封鎖剤、香料、油、シリコーン、粘着剤、および化粧品の分野で通常使用されるアルカリ性化または酸性化剤、フィラー、エモリエント（通常１〜１０％の間の量で使用される）、防腐剤、例えば、イミダゾリニル尿素（ｉｍｉｄａｚｏｌｉｎｙｌ　ｕｒｅａ）、メチルパラベン、およびプロピルパラベン、およびフッ化物をさらに含有してもよい。
　【００５３】
　さらに、組成物は、次に示す少なくとも１つのフィラーを含有してもよい。すなわち、
−　一般的に４０ミクロン未満の粒子の形態で使用される含水ケイ酸マグネシウムであるタルク；
−　アルミノケイ酸塩、すなわち２〜２００ミクロン、好ましくは５〜７０ミクロンの大きさで、０．１〜５ミクロン、好ましくは０．２〜３ミクロンの厚さのフレーク状の形態をした種々の組成物であるマイカ（これらのマイカは、天然由来のマイカ、例えば、白雲母、真珠雲母、バナジン雲母、リピドライト（ｌｉｐｉｄｏｌｉｔｅ）、または黒雲母、または合成由来のものとすることができる）；
−　デンプン、特に米デンプン；
−　一般的に３０ミクロン未満の大きさの等方性の粒子の形態の、含水ケイ酸アルミニウムであるカオリン；
−　一般的に数ミクロン以下の大きさの粒子の形態で使用される酸化亜鉛および酸化チタン；
−　炭酸カルシウム、炭酸マグネシウム、または炭酸水素マグネシウム（ｍａｇｎｅｓｉｕｍ　ｈｙｄｒｏｃａｒｂｏｎａｔｅ）；
−　マイクロクリスタリンセルロース；
−　シリカ；
−　合成ポリマー、例えばポリエチレン、ポリエステル（ポリエチレン−イソフタラート、またはテレフタラート）、ポリアミドのパウダー、例えば「ナイロン」または「テフロン」の商品名で販売されているもの、およびシリコーンパウダー；である。
　【００５４】
　本発明の組成物は、特に、マスカラまたはアイライナーの形態とすることができ、またはマスカラもしくはアイライナーを調製するためのベースとすることもできる。
　【００５５】
　また、本発明の主題は、乾燥早さが改善され、および／またはくずれに対し良好な耐性を有し、および／またはまつげをより良好に長くし、および／または加重性が改善され、および／または経時的により良好な保持力を有するメークアップをするための、上述した組成物の使用にある。
　【００５６】
　さらに、本発明の主題は、改善した乾燥早さ、および／またはくずれに対する良好な耐性、および／またはまつげを良好に長くする特性、および／または改善された加重性、および／または良好な経時的保持性を組成物に付与するために、化粧品組成物、特に、
　（ａ）少なくとも１つの皮膜形成ポリマーを含有する少なくとも１つの水性相、および
　（ｂ）少なくとも１つのロウを含有する少なくとも１つの脂肪相、
を含有する目のメークアップ用組成物への
　（ｉ）　オキシアルキレン化されたシリコーン、および／または
　（ｉｉ）直鎖状のポリシロキサン−ポリオキシアルキレンブロックコポリマーから選択されるシリコーン剤の使用にある。
　【００５７】
　【実施例】
　実施例において、全てのパーセンテージは、活性物質の重量で表す。
　【００５８】
　マスカラは、使用者（６人）により、乾燥速度、まつげとの速効付着性、経時的な保持力、耐摩擦性（使用者が指でまぶたをこすり、摩擦後のメークアップの状態を観察）、まつげに付与される加重（重み付け）度および伸長度が評価された。
　【００５９】
実施例１
　　ミツロウ　　　　　　　　　　　　　　　　　　　　　　　３％
　　カルナウバロウ　　　　　　　　　　　　　　　　　　　　３％
　　パラフィン　　　　　　　　　　　　　　　　　　　　　１３％
　　黒酸化鉄　　　　　　　　　　　　　　　　　　　　　　　７％
　　トリエタノールアミン−ステアラート　　　　　　　　　　９％
　　アラビアゴム　　　　　　　　　　　　　　　　　　　　　３．５％
　　ヒドロキシエチルセルロース　　　　　　　　　　　　　　１％
　　オキシエチレン化されたポリジメチルシロキサン（★）　　０．６％
　　ポリメタクリル酸ナトリウム　　　　　　　　　　　　　　０．２５％
　　防腐剤　　　　　　　　　　　　　　　　　　　　　　　　適量（ｑｓ）
　　水　　　　　　　　　　　　　　　　　　　　　　　　　　適量（ｑｓｐ）
　　（★）ダウコーニング社から商用照合番号Ｑ２−５２２０として市販されているもの
　【００６０】
　この組成物は、まつげに良好に付着し、素早く乾燥し、まつげを長くし、また重くし、良好な保持力と、優れた耐摩擦性（何の小片も観察されず）を有する、という選択基準の全てを満足させるものと、使用者により判断された。
　【００６１】
実施例２（比較例）
　　ミツロウ　　　　　　　　　　　　　　　　　　　　　　　３％
　　カルナウバロウ　　　　　　　　　　　　　　　　　　　　３％
　　パラフィン　　　　　　　　　　　　　　　　　　　　　１３％
　　黒酸化鉄　　　　　　　　　　　　　　　　　　　　　　　７％
　　トリエタノールアミン−ステアラート　　　　　　　　　　９％
　　アラビアゴム　　　　　　　　　　　　　　　　　　　　　３．５％
　　ヒドロキシエチルセルロース　　　　　　　　　　　　　　１％
　　ポリメタクリル酸ナトリウム　　　　　　　　　　　　　　０．２５％
　　防腐剤　　　　　　　　　　　　　　　　　　　　　　　　適量（ｑｓ）
　　水　　　　　　　　　　　　　　　　　　　　　　　　　　適量（ｑｓｐ）
　【００６２】
　マスカラ用組成物は、全ての成分を均質に混合することにより得られた。適用して２時間後、このマスカラは、乾燥速度、まつげの伸長化、特にまつげの加重化、経時的な保持力、および耐摩擦性（小片が少し観察された）に関し、実施例１のマスカラよりは劣っているが、満足できるものと使用者により判断された。
　【００６３】
実施例３（比較例）
　　ミツロウ　　　　　　　　　　　　　　　　　　　　　　　３％
　　カルナウバロウ　　　　　　　　　　　　　　　　　　　　３％
　　パラフィン　　　　　　　　　　　　　　　　　　　　　１３％
　　黒酸化鉄　　　　　　　　　　　　　　　　　　　　　　　７％
　　トリエタノールアミン−ステアラート　　　　　　　　　　９％
　　アラビアゴム　　　　　　　　　　　　　　　　　　　　　３．５％
　　ヒドロキシエチルセルロース　　　　　　　　　　　　　　１％
　　トリエチルアセチルシトラート　　　　　　　　　　　　　０．６％
　　ポリメタクリル酸ナトリウム　　　　　　　　　　　　　　０．２５％
　　防腐剤　　　　　　　　　　　　　　　　　　　　　　　　適量（ｑｓ）
　　水　　　　　　　　　　　　　　　　　　　　　　　　　　適量（ｑｓｐ）
　【００６４】
　マスカラ用組成物は、全ての成分を均質に混合することにより得られた。適用して２時間後、このマスカラは、使用者により、保持力が乏しいと評価された。耐摩擦性は、かなり不十分であった。マスカラはフレーク状になって砕けた。
　【００６５】
　トリエチルアセチルシトラートは、ある種のオキシアルキレン化されたシリコーンとして、樹脂用の可塑剤として知られているが、本発明の組成物におけるオキシアルキレン化されたシリコーンの特性は有さない。
　【００６６】
実施例４（比較例）
　　ミツロウ　　　　　　　　　　　　　　　　　　　　　　　３％
　　カルナウバロウ　　　　　　　　　　　　　　　　　　　　３％
　　パラフィン　　　　　　　　　　　　　　　　　　　　　１３％
　　黒酸化鉄　　　　　　　　　　　　　　　　　　　　　　　７％
　　トリエタノールアミン−ステアラート　　　　　　　　　　９％
　　オキシエチレン化されたポリジメチルシロキサン（★）　　４．７５％
　　防腐剤　　　　　　　　　　　　　　　　　　　　　　　　適量（ｑｓ）
　　水　　　　　　　　　　　　　　　　　　　　　　　　　　適量（ｑｓｐ）
　　（★）ダウコーニング社から商用照合番号Ｑ２−５２２０として市販されているもの
　【００６７】
　皮膜形成ポリマーが存在しないこの実施例（同量のＱ２−５２２０で置き換える）においては、水と同粘度で、メークアップに使用できない組成物が得られることがわかった。加えて、顔料があまり分散しなかった。
　【００６８】
比較テスト
　本発明のジメチコーンコポリオールの効果を、種々の可塑剤と比較した。
　【００６９】
　上述した実施例１の組成物において、ジメチコーンコポリオールを、各々同量の、次の可塑剤と置き換えた。
テスト
１
テスト
２
テスト
３
テスト
４
テスト
５
　【００７０】
　各々のテストで得られたメークアップを、本発明の組成物である、実施例１を対照体として比較した。各々基準を、０〜３で評価した。
　【００７１】
　結果を、次の表にて概説する。
　【表１】
　【００７２】
　これらのテストにおいて、ジメチコーンコポリオールと比較して、通常使用される可塑剤では、所望の特性を得ることができないことが観察された。